(57)【要約】      （修正有）【課題】４圧縮チャンバダイアフラムポンプの振動低減構造を提供することである。【解決手段】振動低減構造はポンプヘッドボディとダイアフラム膜を特徴とする。ポンプヘッドボディは、４つの操作孔６１と、各操作孔の上部の周囲に円周状に設けられた第１曲線振動低減位置決め構造と全操作孔の周囲に集合的に延びるリンク４曲線位置決め構造を有する。ダイアフラム膜は、４つの等価なピストン作動ゾーン７４を有し、第１曲線振動低減位置決め構造の位置に対応する位置に第２曲線振動低減位置決め構造を有する。溝部、スロット、パーフォレーション、または凸部でよいポンプヘッドボディの第１位置決め構造はダイアフラム膜の対応する第２位置決め構造に嵌合し、凸部、溝部、スロット、またはパーフォレーションでよいダイアフラム膜の、その動きによるポンプ動作の間に生じるモーメントアームを低減し、トルクを小さくして、振動強度と振動音を低減させる。【選択図】図２２
2015218727.tif 000002
【特許請求の範囲】
【請求項１】
振動低減構造を有する４圧縮チャンバダイアフラムポンプであって、
前記４圧縮チャンバダイアフラムポンプはモーター、モーターハウジングに固定されたポンプヘッドボディ、ポンプヘッドボディ下部に設けられた円形取付部、ポンプヘッドボディの４つの操作孔を貫通して延びる４つの偏心円形部材、操作孔を介して偏心円形部材に固定され、ポンプヘッドボディの上部に設けられるダイアフラム膜、および、ダイアフラム膜の動きに応じてポンプ動作を行うように設けられた４つのポンプピストンを有し：
ポンプヘッドボディは、ポンプヘッドボディの上部の各操作孔において、少なくとも１つの第１曲線振動低減位置決め構造を有し、
ダイアフラム膜は、少なくとも１つの第２曲線位置決め構造を、ポンプヘッドボディの前記少なくとも１つの第１振動低減位置決め構造の位置に対応する、ダイアフラム膜の各位置に有し、および
少なくとも１つの第１位置決め構造は、対応する少なくとも１つの第２位置決め構造と嵌合し、ダイアフラム膜の動きによるポンプ動作の間に生じるモーメントアームを縮小するので、前記の動作の間のトルクを小さくし、振動強度、および振動音を低減する、振動低減構造を有する４圧縮チャンバダイアフラムポンプ。
【請求項２】
前記モーターは、出力シャフトを有し、前記圧送ダイアフラムポンプはさらに、凸カムシャフトが一体となったワッブルプレートと、ピストンバルブ組立体とを含む、請求項１に記載の振動低減構造を有する４圧縮チャンバダイアフラムポンプであって：
前記モーターの前記出力シャフトは、前記ワッブルプレートの軸継手孔を貫通して延びて、前記ワッブルプレートを回転させ；
前記ワッブルプレートの前記一体となった凸カムシャフトは、前記偏心円形取付部の中央ベアリングを貫通して延び；
前記４つの偏心円形部材は、偏心円形取付部の周囲に等間隔に設けられ、そこでの前記ワッブルプレートの回転により、最上面、最上面に形成された位置決め溝部、および最上面に形成された締結孔を有する各偏心円形部材は連続的な上下運動を行い；
前記ポンプヘッドボディは、前記モーターの上部シャーシに固定され、ワッブルプレートと偏心円形取付部を内部に囲み、前記ポンプヘッドボディの前記４つの操作孔は、前記４つの偏心円形部材の位置の対応する位置に設けられ、各操作孔は、対応する１つの前記偏心円形部材の外径よりも僅かに大きい内径を有し、各対応する偏心円形部材の１つを受け入れ；
前記ダイアフラム膜は、半硬質弾性材から作成され、ポンプヘッドボディに配置され、前記ダイアフラム膜は、ダイアフラム膜の底部から延びる環状突起リム（４個）を含み、各偏心円形部材（４個）の最上面の各位置決め溝部および、ダイアフラム膜の上側から延びる等間隔に配置された放射状突起隔壁リブ（４個）と嵌合し、４つの等価なピストン作用ゾーンを形成し、各ピストン作動ゾーンは、各偏心円形部材の締結孔の位置に対応する位置に、作動ゾーン孔を有し；
各ポンプピストンは、段付き孔を有し、締結部材が、各ポンプピストンの段付き孔を貫通し、ダイアフラム膜の対応する各ピストン作動ゾーンの作動ゾーン孔を貫通し、各偏心円形部材の各締結孔にまで延び、ダイアフラム膜と各ポンプピストン（４個）を、偏心円形取付部の対応する４つの偏心円形部材に固定し；
ダイアフラム膜を覆い、封止係合により円周状にダイアフラム膜に固定される前記ピストン弁組立体は、中央位置決め孔と４つの等価のセクタとを有する中央円形アウトレット取付部を含み、各中央円形アウトレット取付部は、等間隔で円周状に配置した複数のアウトレットポートと、中央位置決めシャンクを備えたＴ字型プラスチック反逆流弁と、４つの円周状のインレット取付部とを含み、４つの円周状のインレット取付部のそれぞれは、等間隔で円周状に配置した複数のインレットポートと、各インレット取付部に取り付けた逆向き中央ピストンディスクを有するので、各ピストンディスクは、複数のインレットポートの、それぞれの対応する群の弁としての役割を果たし、中央円形アウトレット取付部の前記複数のアウトレットポートが４つの円周状のインレット取付部に連通するように、プラスチック反逆流弁の中央位置決めシャンクが、中央円形アウトレット取付部の中央位置決め孔に嵌合し、各予備水圧チャンバの一端部が対応する前記インレットポートの１つに連通するように、ダイアフラム膜がピストン弁組立体に円周状に固定されると、密閉した予備水圧チャンバが各インレット取付部、およびダイアフラム膜の対応するピストン作動ゾーンに形成され；
ポンプヘッドボディを覆い、ピストン弁組立体と、ポンプピストンと、ダイアフラム膜と、を内部に囲む前記ポンプヘッドカバーは、水インレットオリフィス、および水アウトレットオリフィスを含み、前記ポンプヘッドカバーは、ダイアフラム膜の組立体、およびピストン弁組立体に密封して取り付けられ、高圧力が掛けられた水チャンバは、環状リブリングの内壁によって形成される空洞部と、ピストン弁組立体の中央円形アウトレット取付部の間に設定され；
前記少なくとも１つの第１位置決め構造は、少なくとも１つの、基本曲線溝部と、曲線スロットと、曲線開口部のセットと、曲線凸部と、曲線凸部のセットとを有し、
前記各第１位置決め構造は、ポンプヘッドボディの４つの操作孔のそれぞれの上部周囲に円周状に設けられるか、すべての操作孔の上部の周囲に集結して延伸するように接続され；および、
前記少なくとも１つの第２振動低減位置決め構造は、１つの基本曲線凸部、曲線凸部のセット、曲線溝部、曲線スロット、および曲線開口部のセットを有し、各少なくとも１つの第２位置決め構造は、ポンプヘッドボディの各第１位置決め構造の位置に対応する位置のダイアフラム膜の底部にある４つの環状突起リムのそれぞれの周囲に円周状に配置され、ポンプヘッドボディとダイアフラム膜が組み合わされることによって、ダイアフラム膜の底部の各第２位置決め構造は、ポンプヘッドボディの上部の対応する各第１位置決め構造と嵌合し、そこで、ピストンの上下運動に応えるダイアフラム膜の動きによって生じたモーメントアームが、第１振動低減構造と第２振動低減構造の周囲の間に延びるので、前記ダイアフラム膜の動きによる振動を低減する、振動低減構造を有する４圧縮チャンバダイアフラムポンプ。
【請求項３】
請求項２に記載の振動低減構造を有する４圧縮チャンバダイアフラムポンプあって、前記各第１振動低減位置決め構造は、ポンプヘッドボディの曲線溝部またはスロットであり、前記各第２振動低減位置決め構造は、ダイアフラム膜から延びる曲線凸部である、振動低減構造を有する４圧縮チャンバダイアフラムポンプ。
【請求項４】
請求項３に記載の振動低減構造を有する４圧縮チャンバダイアフラムポンプあって、前記各第１振動低減位置決め構造は、ポンプヘッドボディの第１溝部またはスロットの周囲に円周状に設けられた第２曲線溝部またはスロットを有し、前記各第２振動低減位置決め構造は、ダイアフラム膜から延びる第１曲線凸部の周囲に円周状に設けられた第２曲線凹部を有する、振動低減構造を有する４圧縮チャンバダイアフラムポンプ。
【請求項５】
請求項２に記載の振動低減構造を有する４圧縮チャンバダイアフラムポンプあって、前記各第１振動低減位置決め構造は、ポンプヘッドボディから延びる曲線凸部であり、前記各第２振動低減位置決め構造は、ダイアフラム膜から延びる曲線溝部またはスロットである、振動低減構造を有する４圧縮チャンバダイアフラムポンプ。
【請求項６】
請求項５に記載の振動低減構造を有する４圧縮チャンバダイアフラムポンプあって、前記各第１振動低減位置決め構造は、ポンプヘッドボディから延びる第１曲線凸部の周囲に円周状に設けられた第２曲線凸部であり、前記各第２振動低減位置決め構造は、ダイアフラム膜の第１曲線溝部またはスロットの周囲に円周状に設けられた第２曲線溝部またはスロットを有する、振動低減構造を有する４圧縮チャンバダイアフラムポンプ。
【請求項７】
請求項２に記載の振動低減構造を有する４圧縮チャンバダイアフラムポンプあって、前記各第１振動低減位置決め構造は、組み合わされてポンプヘッドボディにリンク４曲線溝部またはスロットを形成し、前記第２振動低減位置決め構造は、組み合わされてダイアフラム膜から延びるリンク４曲線凸部を形成する、振動低減構造を有する４圧縮チャンバダイアフラムポンプ。
【請求項８】
請求項２に記載の振動低減構造を有する４圧縮チャンバダイアフラムポンプあって、前記各第１振動低減位置決め構造は、組み合わされてポンプヘッドボディから延びるリンク４曲線凸部を形成し、前記第２振動低減位置決め構造は、組み合わされてダイアフラム膜にリンク４曲線溝部またはスロットを形成する、振動低減構造を有する４圧縮チャンバダイアフラムポンプ。
【請求項９】
請求項２に記載の振動低減構造を有する４圧縮チャンバダイアフラムポンプあって、前記各第１振動低減位置決め構造は、ポンプヘッドボディに環状溝部または有孔リングを有し、前記各第２振動低減位置決め構造は、ダイアフラム膜から延びる曲線凸部または凸部のセットを有する、振動低減構造を有する４圧縮チャンバダイアフラムポンプ。
【請求項１０】
請求項９に記載の振動低減構造を有する４圧縮チャンバダイアフラムポンプあって、前記各第１振動低減位置決め構造はさらに、ポンプヘッドボディから延び前記４つの操作孔のすべて、およびそれに対応する環状溝部または有孔リングの周囲に広がるリンク４曲線凸部を有し、前記各第２振動低減位置決め構造はさらに、前記４つの突起リムのすべて、およびダイアフラム膜から延びる曲線凸部または凸部のセットの周囲に広がるリンク４曲線溝部またはスロットをダイアフラム膜に有する、振動低減構造を有する４圧縮チャンバダイアフラムポンプ。
【請求項１１】
請求項２に記載の振動低減構造を有する４圧縮チャンバダイアフラムポンプあって、前記各第１振動低減位置決め構造は、ポンプヘッドボディから延びる曲線凸部または凸部のセットを有し、前記各第２振動低減位置決め構造は、ダイアフラム膜に環状溝部または有孔リングを有する、振動低減構造を有する４圧縮チャンバダイアフラムポンプ。
【請求項１２】
請求項１１に記載の振動低減構造を有する４圧縮チャンバダイアフラムポンプあって、前記第１振動低減位置決め構造はさらに、ポンプヘッドボディから延び、前記４つの突起リムのすべて、およびそれに対応する曲線凸部または凸部のセットの周囲に広がるリンク４曲線凸部を有し、前記第２振動低減位置決め構造はさらに、前記４つの操作孔のすべて、およびダイアフラム膜の環状溝部または有孔リングの周囲に広がるリンク４曲線溝部またはスロットをダイアフラム膜に有する、振動低減構造を有する４圧縮チャンバダイアフラムポンプ。
【請求項１３】
請求項２に記載の振動低減構造を有する４圧縮チャンバダイアフラムポンプあって、前記各第１振動低減位置決め構造は、ポンプヘッドボディの曲線溝部またはスロットのセットであり、前記各第２振動低減位置決め構造は、ダイアフラム膜から延びる曲線凸部のセットである、振動低減構造を有する４圧縮チャンバダイアフラムポンプ。
【請求項１４】
請求項２に記載の振動低減構造を有する４圧縮チャンバダイアフラムポンプあって、前記各第１振動低減位置決め構造は、ポンプヘッドボディから延びる曲線凸部のセットであり、前記各第２振動低減位置決め構造は、ダイアフラム膜の曲線溝部またはスロットのセットである、振動低減構造を有する４圧縮チャンバダイアフラムポンプ。
【請求項１５】
請求項２に記載の振動低減構造を有する４圧縮チャンバダイアフラムポンプあって、前記各第１振動低減位置決め構造は、ポンプヘッドボディの円形凹部または孔部のセットであり、前記各第２振動低減位置決め構造は、ダイアフラム膜から延びる円形凸部のセットである、振動低減構造を有する４圧縮チャンバダイアフラムポンプ。
【請求項１６】
請求項２に記載の振動低減構造を有する４圧縮チャンバダイアフラムポンプあって、前記各第１振動低減位置決め構造は、ポンプヘッドボディから延びる円形凸部のセットであり、前記各第２振動低減位置決め構造は、ダイアフラム膜の円形凹部または孔部のセットである、振動低減構造を有する４圧縮チャンバダイアフラムポンプ。
【請求項１７】
請求項２に記載の振動低減構造を有する４圧縮チャンバダイアフラムポンプあって、前記各第１振動低減位置決め構造は、ポンプヘッドボディの四角形凹部または孔部のセットであり、前記各第２振動低減位置決め構造は、ダイアフラム膜から延びる四角形凸部のセットである、振動低減構造を有する４圧縮チャンバダイアフラムポンプ。
【請求項１８】
請求項２に記載の振動低減構造を有する４圧縮チャンバダイアフラムポンプあって、前記各第１振動低減位置決め構造は、ポンプヘッドボディから延びる四角形凸部のセットであり、前記各第２振動低減位置決め構造は、ダイアフラム膜の四角形凹部または孔部のセットである、振動低減構造を有する４圧縮チャンバダイアフラムポンプ。
【請求項１９】
請求項２に記載の振動低減構造を有する４圧縮チャンバダイアフラムポンプあって、前記ダイアフラム膜は、前記ダイアフラム膜の上部から延びる内部突起リムと並列外部突起リムを有し、前記ピストン弁組立体は下方に延びる突起リムを有し、前記ピストン弁組立体の前記下方に延びる突起リムは、前記ダイアフラム膜の前記内部および外部突起リム間に延び、前記ダイアフラム膜が前記ピストン弁組立体に円周状に固定されると円周状に封止する、振動低減構造を有する４圧縮チャンバダイアフラムポンプ。
【請求項２０】
請求項２に記載の振動低減構造を有する４圧縮チャンバダイアフラムポンプあって、前記偏心円形部材の前記締結孔はネジ山付き孔であり、前記締結部材はネジである、振動低減構造を有する４圧縮チャンバダイアフラムポンプ。
【請求項２１】
請求項２に記載の振動低減構造を有する４圧縮チャンバダイアフラムポンプあって、前記空洞は、ポンプヘッドカバーの環状リブリングの底部が、ピストン弁組立体の中央円形アウトレット取付部のリムに押圧されることにより形成される、振動低減構造を有する４圧縮チャンバダイアフラムポンプ。
【請求項２２】
請求項１に記載の振動低減構造を有する４圧縮チャンバダイアフラムポンプあって、前記各第１振動低減位置決め構造は、ポンプヘッドボディの曲線溝部またはスロットであり、前記各第２振動低減位置決め構造は、ダイアフラム膜から延びる曲線凸部である、振動低減構造を有する４圧縮チャンバダイアフラムポンプ。
【請求項２３】
請求項２２に記載の振動低減構造を有する４圧縮チャンバダイアフラムポンプあって、前記各第１振動低減位置決め構造は、ポンプヘッドボディの第１溝部またはスロットの周囲に円周状に設けられた第２曲線溝部またはスロットであり、前記各第２振動低減位置決め構造は、ダイアフラム膜から延びる第１曲線凸部の周囲に円周状に設けられた第２曲線凸部である、振動低減構造を有する４圧縮チャンバダイアフラムポンプ。
【請求項２４】
請求項１に記載の振動低減構造を有する４圧縮チャンバダイアフラムポンプあって、前記各第１振動低減位置決め構造は、ポンプヘッドボディから延びる曲線凸部であり、前記各第２振動低減位置決め構造は、ダイアフラム膜から延びる曲線溝部またはスロットである、振動低減構造を有する４圧縮チャンバダイアフラムポンプ。
【請求項２５】
請求項２４に記載の振動低減構造を有する４圧縮チャンバダイアフラムポンプあって、前記各第１振動低減位置決め構造は、ポンプヘッドボディから延びる第１曲線凸部の周囲に円周状に設けられた第２曲線凸部であり、前記各第２振動低減位置決め構造は、ダイアフラム膜の第１曲線溝部またはスロットの周囲に円周状に設けられた第２曲線溝部またはスロットである、振動低減構造を有する４圧縮チャンバダイアフラムポンプ。
【請求項２６】
請求項１に記載の振動低減構造を有する４圧縮チャンバダイアフラムポンプあって、前記各第１振動低減位置決め構造は、組み合わされてポンプヘッドボディにリンク４曲線溝部またはスロットを形成し、前記第２振動低減位置決め構造は、組み合わされてダイアフラム膜から延びるリンク４曲線凸部を形成する、振動低減構造を有する４圧縮チャンバダイアフラムポンプ。
【請求項２７】
請求項１に記載の振動低減構造を有する４圧縮チャンバダイアフラムポンプあって、前記各第１振動低減位置決め構造は、組み合わされてポンプヘッドボディから延びるリンク４曲線凸部を形成し、前記第２振動低減位置決め構造は、組み合わされてダイアフラム膜にリンク４曲線溝部またはスロットを形成する、振動低減構造を有する４圧縮チャンバダイアフラムポンプ。
【請求項２８】
請求項１に記載の振動低減構造を有する４圧縮チャンバダイアフラムポンプあって、前記各第１振動低減位置決め構造は、ポンプヘッドボディに環状溝部または有孔リングを有し、前記各第２振動低減位置決め構造は、ダイアフラム膜から延びる曲線凸部または凸部のセットを有する、振動低減構造を有する４圧縮チャンバダイアフラムポンプ  。
【請求項２９】
請求項２８に記載の振動低減構造を有する４圧縮チャンバダイアフラムポンプあって、前記各第１振動低減位置決め構造はさらに、ポンプヘッドボディから延び前記４つの操作孔のすべて、およびそれに対応する環状溝部または有孔リングの周囲に広がるリンク４曲線凸部を有し、前記各第２振動低減位置決め構造はさらに、ダイアフラム膜から延びる前記４つの曲線凸部のすべて、または凸部のセットの周囲に広がるリンク４曲線溝部またはスロットをダイアフラム膜に有する、振動低減構造を有する４圧縮チャンバダイアフラムポンプ。
【請求項３０】
請求項１に記載の振動低減構造を有する４圧縮チャンバダイアフラムポンプあって、前記各第１振動低減位置決め構造は、ポンプヘッドボディから延びる曲線凸部または凸部のセットを有し、前記各第２振動低減位置決め構造は、ダイアフラム膜に環状溝部または有孔リングを有する、振動低減構造を有する４圧縮チャンバダイアフラムポンプ。
【請求項３１】
請求項３０に記載の振動低減構造を有する４圧縮チャンバダイアフラムポンプあって、前記第１振動低減位置決め構造はさらに、ポンプヘッドボディから延び、前記４つの操作孔のすべて、およびそれに対応する曲線凸部または凸部のセットの周囲に広がるリンク４曲線凸部を有し、前記第２振動低減位置決め構造はさらに、ダイアフラム膜の前記４つの環状溝部のすべて、または有孔リングの周囲に広がるリンク４曲線溝部またはスロットをダイアフラム膜に有する、振動低減構造を有する４圧縮チャンバダイアフラムポンプ。
【請求項３２】
請求項１に記載の振動低減構造を有する４圧縮チャンバダイアフラムポンプあって、前記各第１振動低減位置決め構造は、ポンプヘッドボディの曲線溝部またはスロットのセットであり、前記各第２振動低減位置決め構造は、ダイアフラム膜から延びる曲線凸部のセットである、振動低減構造を有する４圧縮チャンバダイアフラムポンプ。
【請求項３３】
請求項１に記載の振動低減構造を有する４圧縮チャンバダイアフラムポンプあって、前記各第１振動低減位置決め構造は、ポンプヘッドボディから延びる曲線凸部のセットであり、前記各第２振動低減位置決め構造は、ダイアフラム膜の曲線溝部またはスロットのセットである、振動低減構造を有する４圧縮チャンバダイアフラムポンプ。
【請求項３４】
請求項１に記載の振動低減構造を有する４圧縮チャンバダイアフラムポンプあって、前記各第１振動低減位置決め構造は、ポンプヘッドボディの円形凹部または孔部のセットであり、前記各第２振動低減位置決め構造は、ダイアフラム膜から延びる円形凸部のセットである、振動低減構造を有する４圧縮チャンバダイアフラムポンプ。
【請求項３５】
請求項１に記載の振動低減構造を有する４圧縮チャンバダイアフラムポンプあって、前記各第１振動低減位置決め構造は、ポンプヘッドボディから延びる円形凸部のセットであり、前記各第２振動低減位置決め構造は、ダイアフラム膜の円形凹部または孔部のセットである、振動低減構造を有する４圧縮チャンバダイアフラムポンプ。
【請求項３６】
請求項１に記載の振動低減構造を有する４圧縮チャンバダイアフラムポンプあって、前記各第１振動低減位置決め構造は、ポンプヘッドボディの四角形凹部または孔部のセットであり、前記各第２振動低減位置決め構造は、ダイアフラム膜から延びる四角形凸部のセットである、振動低減構造を有する４圧縮チャンバダイアフラムポンプ。
【請求項３７】
請求項１に記載の振動低減構造を有する４圧縮チャンバダイアフラムポンプあって、前記各第１振動低減位置決め構造は、ポンプヘッドボディから延びる四角形凸部のセットであり、前記各第２振動低減位置決め構造は、ダイアフラム膜の四角形凹部または孔部のセットである、振動低減構造を有する４圧縮チャンバダイアフラムポンプ。
【請求項３８】
請求項１に記載の振動低減構造を有する圧送ダイアフラムポンプあって、前記モーターは、ブラシ付きモーターである、振動低減構造を有する圧送ダイアフラムポンプ。
【請求項３９】
請求項１に記載の振動低減構造を有する圧送ダイアフラムポンプあって、前記モーターは、ブラシなしモーターである、振動低減構造を有する圧送ダイアフラムポンプ。
【発明の詳細な説明】
【技術分野】
【０００１】
本発明は、４圧縮チャンバダイアフラムポンプの振動低減構造に関し、具体的には、同ポンプの振動強度を低減することが可能な構造に関し、この構造を家庭用、ＲＶ車、移動住宅のいずれかの水供給装置に取り付けることにより、逆浸透浄化システムのハウジングの共振により引き起こされる不快な騒音を解消する。
【背景技術】
【０００２】
逆浸透清浄器または逆浸透浄水システムに使用される従来のタイプの圧送ダイアフラムポンプ、および家庭用、ＲＶ車、または移動住宅の水供給装置に一般的に取り付けられる圧送ダイアフラムポンプには、さまざまなタイプがある。従来の４圧縮チャンバダイアフラムポンプの多数は、特許文献１に開示されている特定のタイプの他にも、図１〜９に示すデザインに類似するものに分類される。図１〜９に示された４圧縮チャンバダイアフラムポンプは、出力シャフト１１を備えたブラシ付きモーター１０、モーター上部シャーシ３０、凸カムシャフトが一体となったワッブルプレート４０、偏心円形取付部５０、ポンプヘッドボディ６０、ダイアフラム膜７０、４つのポンプピストン８０、ピストン弁組立体９０、およびポンプヘッドカバー２０を有する。
【０００３】
モーター上部シャーシ３０は、ベアリング３１を有し、そこをモーター１０の出力シャフト１１が貫通して延びる。モーター上部シャーシ３０はさらに、上部環状リブリング３２を有し、上部環状リブリング３２のリムに円周状かつ等間隔にいくつかの締結孔３３が設けられている。
【０００４】
ワッブルプレート４０は、シャフト結合孔４１を含み、そこを対応するモーター１０のモーター出力シャフト１１が貫通して延びる。
【０００５】
偏心円形取付部５０は、底部に中央ベアリング５１を有し、対応するワッブルプレート４０を受け入れる。４つの偏心円形部材５２が偏心円形取付部５０に円周状かつ等間隔に設けられている。各偏心円形部材５２は、ネジ山付き孔５４、および各上面に形成された環状位置決め溝部５５を有する。
【０００６】
ポンプヘッドボディ６０は、モーター上部シャーシ３０の上部環状リブリング３２を覆い、凸カムシャフトを一体的に備えるワッブルプレート４０と、偏心円形取付部５０を内部に囲み、円周状に等間隔に設けられた４つの操作孔６１を内部に有する。各操作孔６１は、偏心円形取付部５０の対応する各偏心円形部材５２をそれぞれ受け入れるため、対応する各偏心円形部材５２の外径よりもわずかに大きい内径と、モーター上部シャーシ３０の対応する上部環状リブリング３２と嵌合する、操作孔の下部に形成された下部環状フランジ６２と、ポンプヘッドボディ６０の周囲に等間隔に設けられたいくつかの締結孔６３と、を有する。
【０００７】
半硬質弾性材から押出し成型され、ポンプヘッドボディ６０の上に配置されるダイアフラム膜７０は、外部突起リム７１と内部突起リム７２を含む一対の並列リムと、等間隔に配置された４つの放射状突起隔壁リブ７３とを含む。各放射状突起隔壁リブ７３の各端部は内部突起リム７２に接続するので、放射状突起隔壁リブ７３内に４つの等価のピストン作動ゾーン７４が形成され、各ピストン作動ゾーン７４に、偏心円形取付部５０のネジ山付き孔５３のネジ山付き孔５４に対応する作動ゾーン孔７５が形成され、各作動ゾーン孔７５の環状位置決め凸部７６が、ダイアフラム膜７０の底部に形成される（図７、８参照）。
【０００８】
各ポンプピストン８０は、ダイアフラム膜７０の対応する各ピストン作動ゾーン７４に形成され、貫通して延びる段付き孔８１を有する。ダイアフラム膜７０の各環状位置決め凸部７６を、偏心円形取付部５０の偏心円形部材５２の対応する各環状位置決め溝部５５に挿入した後、各締結ネジ１を、各ポンプピストン８０の段付き孔８１、およびダイアフラム膜７０の各対応するピストン動作ゾーン７４の作動ゾーン孔７５を通して挿入することにより、ダイアフラム膜７０、および４つのポンプピストン８０は、偏心円形取付部５０の対応する４つの偏心円形部材５２のネジ山付き孔５４に確実に固定できる（図９の拡大図を参照）。
【０００９】
ダイアフラム膜７０を適切に覆うピストン弁組立体９０は、ダイアフラム膜７０の外部突起リム７１と内部突起リム７２の間に挿入され下方に延びる突起リム９１と、４つの等価のセクタが設けられ、中央位置決め孔９３を有する中央円形アウトレット取付部９２とを有し、各中央円形アウトレット取付部９２は、等間隔かつ円周状に配置されたアウトレットポート９５の群、中央位置決めシャンクが備えられたＴ字型プラスチック反逆流弁９４、および４つの円周状に隣接するインレット取付部９６を有する。各インレット取付部９６は、円周状に等間隔に配置された複数のインレットポート９７の群および逆向き中央ピストンディスク９８を有し、それによって、各ピストンディスク９８は、対応する複数のインレットポート９７の群の弁としての役割を果たし、プラスチック反逆流弁９４の中央位置決めシャンクは、中央円形アウトレット取付部９２の複数のアウトレットポート９５の群が、４つのインレット取付部９６に連通するように、中央円形アウトレット取付部９２の中央位置決め孔９３に嵌合する。下方に延びる突起リム９１を、ダイアフラム膜７０の外部突起リム７１と内部突起リム７２の間に、各予備水圧チャンバ２６の一端が、対応する複数のインレットポート９７の群に連通するように挿入し、密閉した予備水圧チャンバ２６を、各インレット取付部９６、およびダイアフラム膜７０の対応するピストン作動ゾーン７４に形成する（図９の拡大図参照）。
【００１０】
ポンプヘッドボディ６０を覆い、ピストン弁組立体９０、ポンプピストン８０、およびダイアフラム膜７０を内部に囲むポンプヘッドカバー２０は、水インレットオリフィス２１、水アウトレットオリフィス２２、および、いくつかの締結孔２３を含む。段付きリム２４および環状リブリング２５は、ダイアフラム膜７０の組立体の外側リム、およびピストン弁組立体９０が密封され、段付きリム２４に取り付けられるようポンプヘッドカバー２０の底部内側に設けられる（図９の拡大図参照）。高圧縮チャンバ２７は、環状リブリング２５と中央円形アウトレット取付部９２の縁を合わせることによって、環状リブリング２５の内壁により形成される空洞と、ピストン弁組立体９０の中央円形アウトレット取付部９２の間に形成される（図９参照）。
【００１１】
各締結ボルト２を、ポンプヘッドカバー２０の対応する締結孔２３と、ポンプヘッドボディ６０の対応する各締結孔６３に通し、ナット３を各締結ボルト２に配置して、ポンプヘッドカバー２０をポンプヘッドボディ６０にネジ止め固定することにより、４圧縮室ダイアフラムポンプの全体の組立は完成する（図１および９参照）。
【００１２】
図１０および１１は、図１〜９の従来の４圧縮チャンバダイアフラムポンプの実用的な動作モードを例証する図である。
【００１３】
最初に、モーター１０に電源が入ると、ワッブルプレート４０がモーター出力シャフト１１により回転駆動し、偏心円形取付部５０の４つの偏心円形部材５２が、連続的に絶え間なく、上下の往復ストローク動作を行う。
【００１４】
２番目に、４つのポンプピストン８０と、ダイアフラム膜７０の４つのピストン作動ゾーン７４がその間に、４つの偏心円形部材５２の上下往復ストローク動作によって連続的に駆動し、上下に変位動作する。
【００１５】
３番目に、偏心円形部材５２が下方にストローク動作して、ポンプピストン８０およびピストン作動ゾーン７４が下方に変位移動すると、ピストン弁組立体９０のピストンディスク９８が押されて開状態になるので、水道水Ｗが、ポンプヘッドカバー２０の水インレットオリフィス２１、およびピストン弁組立体９０のインレットポート９７を介して、予備水圧チャンバ２６に流入することができる（図１０の拡大図のＷから伸びる矢印を参照）。
【００１６】
４番目に、偏心円形部材５２が上方にストローク動作して、ポンプピストン８０およびピストン作動ゾーン７４が上方に変位移動すると、ピストン弁組立体９０のピストンディスク９６は、引っ張られて閉状態になるので、予備圧縮チャンバ２６内の水道水Ｗを圧縮し、その内部の水圧を８０〜１００ＰＳＩの範囲にまで引き上げる。圧力を受けた加圧水ＷＰは、ピストン弁組立体９０のプラスチック反逆流弁９４を押して、開状態にする。
【００１７】
５番目に、ピストン弁組立体９０のプラスチック反逆流弁９４が押されて開状態になると、予備圧縮チャンバ２６の加圧水ＷＰは、中央円形アウトレット取付部９２内の対応するセクタのアウトレットポート９５の群を経由して、高圧縮チャンバ２７に向けられ、ポンプヘッドカバー２０の水アウトレットオリフィス２２から放出される（図１１の矢印ＷＰ参照）。
【００１８】
最後に、中央円形アウトレット取付部９２の４つのセクタのアウトレットポート９５の各群の規則的な反復動作により、加圧水ＷＰは、従来の４圧縮チャンバダイアフラムポンプから、逆浸透膜カートリッジにより、さらに逆浸透膜ろ過された水が排出され、それによって、最終的にろ過された加圧水ＷＰを、逆浸透膜浄水装置に使用可能となる。
【００１９】
図１２〜１３は、上記従来の４圧縮チャンバダイアフラムポンプに長期に渡り存在する振動に関連する重大な欠点を示す。前述の通り、モーター１０に電源が入ると、ワッブルプレート４０がモーター出力シャフト１１により回転駆動し、偏心円形取付部５０の４つの偏心円形部材５２が、連続的に絶え間なく上下の往復ストローク動作を行い、その間、４つのポンプピストン８０と、ダイアフラム膜７０の４つのピストン作動ゾーン７４が、４つの偏心円形部材５２の上下往復ストローク動作によって連続的に駆動し、上下に変位動作し、外部突起リム７１から環状位置決め凸部７６の周囲までの長さをモーメントアームＬ１とする等価な力Ｆが、４つのピストン作用ゾーン７４に絶えず作用する（図１３参照）。したがって、合成トルクは作用力ＦをモーメントアームＬ１の長さで乗算する、「トルク＝作用力Ｆ  Ｘ  モーメントアームＬ１の長さ」の数式を用いて導き出せる。合成トルクによって、従来の４圧縮チャンバダイアフラムポンプの全体が、直接的に振動を受ける。モーター１０のモーター出力シャフト１１の最大８００〜１、２００  ＲＰＭの高速回転により、４つの偏心円形部材５２の順番動作によって引き起こされる振動強度は、持続的な受け入れ不能な段階に達し得る。
【００２０】
従来の４圧縮チャンバダイアフラムポンプの直接的な振動の欠点に対処するため、図１４に示すように、一対のウイングプレート１０１を備えたクッション基部１００が補足の支持体として常に提供されている。各ウイングプレート１０１はさらに、振動低減効果を強化するため、袖部にゴム緩衝部材１０２が設けられている。家庭用、ＲＶ車、および移動住宅用の水供給装置に従来の４圧縮チャンバダイアフラムポンプを設置する際、クッション基部１００は、適切な締結ネジ１０３、および、それに対応するナット１０４を使用して、逆浸透浄化ユニットのハウジングＣにしっかりとネジ止め固定される。しかし、前述のクッション基部１００をウイングプレート１０１とゴム緩衝部材１０２と一緒に使用した場合の実際的な振動抑制効果は、直接的な一次振動に対応するのみで、直接的な一次振動は、ハウジングＣが共振する二次振動を引き起こすため、全体的な振動抑制は限定的である。この共振によって、逆浸透浄化ユニットのハウジングＣに発生する全振動音が、一層大きくなる。
【００２１】
ハウジングＣに発生する全振動音が大きくなるという欠点に加えて、ポンプヘッドカバー２０の水アウトレットオリフィス２２に接続される送水管Ｐが、上記一次振動に共振して同期的に振動するという欠点が発生する（図１４および１４（ａ）の破線で示した送水管Ｐを参照）。この送水管Ｐの同期的振動は、従来の圧送ダイアフラムポンプの他の部位も同時に振動させるという、さらなる欠点が発生し得る。結果として、一定期間の経過後、送水管Ｐと水アウトレットオリフィス２２間の接続部が徐々に緩み、他の部位同士の結合も振動により徐々に緩むことによって、従来の圧送ダイアフラムポンプから水漏れが発生する。
【００２２】
従来の４圧縮チャンバダイアフラムポンプの、さらなる欠点である全体に及ぶ共振および水漏れは、前述の一次振動の欠点に対処する従来の方法では解決できない。４圧縮チャンバダイアフラムポンプの動作振動に関わる欠点を全面に渡って実質的に低減する方法は、緊急かつ重大な課題である。
【先行技術文献】
【特許文献】
【００２３】
【特許文献１】米国特許番号６、８４０、７４５号明細書
【発明の概要】
【発明が解決しようとする課題】
【００２４】
本発明の目的は、ポンプヘッドボディおよびダイアフラム膜を特徴として、４圧縮チャンバダイアフラムポンプの振動低減構造を提供することであって、ポンプヘッドボディは、４つの操作孔、および少なくとも１つの基本曲線溝部、スロット、有孔セグメント、または曲線凸部、あるいは凸部のセットを有し、これらは各操作孔の上部の少なくとも一部の周囲に円周状に設けられ、ダイアフラム膜は、４つの等価のピストン作動ゾーンを有し、各ピストン作動ゾーンは、作動ゾーン孔、各作動ゾーン孔用の環状位置決め凸部、および少なくとも１つの基本曲線凸部、または凸部のセット、あるいは、溝部、スロットまたは、有孔セグメントを有し、これらは、ポンプヘッドボディの各嵌合する基本曲線溝部、スロット、有孔セグメント、凸部、または凸部のセットの位置に対応する位置の各同心環状位置決め凸部の周りに少なくとも部分的かつ円周状に配置され、したがって、４つの基本曲線凸部、凸部のセット、溝部、スロット、または有孔セグメントは、ポンプヘッドボディ内の対応する４つの基本曲線溝部、スロット、有孔セグメント、凸部、または凸部のセットに完全に挿入または、受け入れられ、これに伴うモーメントアームの距離は短くなり、トルク（モーメントアームに定常作用力を乗算することにより得られる）は小さくなる。トルクが小さいと、圧送ダイアフラムポンプの振動強度は有意に低減する。
【００２５】
本発明の別の目的は、少なくとも４つの基本曲線溝部、スロット、または有孔セグメント、あるいは曲線凸部を備えたポンプヘッドボディ；および４つの基本曲線凸部、または曲線溝部、スロット、あるいは有孔セグメントを備えたダイアフラム膜；を特徴とする、４圧縮チャンバダイアフラムポンプの振動低減構造を提供することであって、４つの基本曲線凸部、溝部、スロット、または有孔セグメントを、対応する４つの基本曲線溝部、スロット、有孔セグメントまたは凸部に完全に挿入し、モーメントアームの距離を短くして、トルク（モーメントアームの距離に、定常作用力を乗算することにより得られる）による振動を低減させる。トルクが小さいと、圧送ダイアフラムポンプの振動強度は有意に低減する。本発明を、家庭用、ＲＶ車、または移動住宅の水供給装置の逆浸透浄化ユニットのハウジング（ゴム緩衝部材を含む従来のクッション基部を装着）に取り付けると、従来の圧送ダイアフラムポンプの共振により生じる不快な騒音が完全に解消される。
【図面の簡単な説明】
【００２６】
【図１】従来の４圧縮チャンバダイアフラムポンプの組立斜視図である。
【図２】従来の４圧縮チャンバダイアフラムポンプの分解斜視図である。
【図３】従来の４圧縮チャンバダイアフラムポンプのポンプヘッドボディの斜視図である。
【図４】図３の切断線４−４における断面図である。
【図５】従来の４圧縮チャンバダイアフラムポンプのポンプヘッドボディ上面図である。
【図６】従来の４圧縮チャンバダイアフラムポンプのダイアフラム膜の斜視図である。
【図７】図６の切断線７−７における断面図である。
【図８】従来の４圧縮チャンバダイアフラムポンプのダイアフラム膜の底面図である。
【図９】図１の切断線９−９における断面図である。
【図１０】従来の４圧縮チャンバダイアフラムポンプの第１動作を例証する図である。
【図１１】従来の４圧縮チャンバダイアフラムポンプの第２動作を例証する図である。
【図１２】従来の４圧縮チャンバダイアフラムポンプの第３動作を例証する図である。
【図１３】図１２の拡大図の円で囲んだ一部分である”  ａ”の部分拡大図である。
【図１４】逆浸透浄化システムの取付基部に取り付けられた従来の４圧縮チャンバダイアフラムポンプの側面の概略図である。
【図１４（ａ）】図１４の取付基部に取り付けられた従来の４圧縮チャンバダイアフラムポンプの端部の概略図である。
【図１５】本発明による第１実施形態における分解斜視図である。
【図１６】本発明による第１実施形態におけるポンプヘッドボディの斜視図である。
【図１７】図１６の切断線１７−１７における断面図である。
【図１８】本発明による第１実施形態におけるポンプヘッドボディの上面図である。
【図１９】本発明による第１実施形態におけるダイアフラム膜の斜視図である。
【図２０】図１９の切断線２０−２０における断面図である。
【図２１】本発明による第１実施形態におけるダイアフラム膜の底面図である。
【図２２】本発明による第１実施形態における組立断面図である。
【図２３】本発明による第１実施形態における動作を例証する図である。
【図２４】図２３の円で囲んだ一部分である”  ａ”の部分拡大図である。
【図２５】本発明による第１実施形態における別のポンプヘッドボディの斜視図である。
【図２６】図２５の切断線２６−２６における断面図である。
【図２７】本発明による第１実施形態における別のポンプヘッドボディおよび分離したダイアフラム膜の断面図である。
【図２８】図２７のポンプヘッドボディとダイアフラム膜の別の組み合わせの断面図である。
【図２９】本発明による第２実施形態におけるポンプヘッドボディの斜視図である。
【図３０】図２９の切断線３０−３０における断面図である。
【図３１】本発明による第２実施形態におけるポンプヘッドボディの上面図である。
【図３２】本発明による第２実施形態におけるダイアフラム膜の斜視図である。
【図３３】図３２の切断線３３−３３における断面図である。
【図３４】本発明による第２実施形態におけるダイアフラム膜の底面図である。
【図３５】本発明による第２実施形態におけるポンプヘッドボディとダイアフラム膜の組み合わせの断面図である。
【図３６】本発明による第２実施形態における別のポンプヘッドボディの斜視図である。
【図３７】図３６の切断線３７−３７における断面図である。
【図３８】本発明による第２実施形態における別のポンプヘッドボディおよび分離したダイアフラム膜の断面図である。
【図３９】図２８のポンプヘッドボディとダイアフラム膜の組み合わせの断面図である。
【図４０】本発明による第３実施形態におけるポンプヘッドボディの斜視図である。
【図４１】図４０の切断線４１−４１における断面図である。
【図４２】本発明による第３実施形態におけるポンプヘッドボディの上面図である。
【図４３】本発明による第３実施形態におけるダイアフラム膜の斜視図である。
【図４４】図４３の切断線４４−４４における断面図である。
【図４５】本発明による第３実施形態におけるダイアフラム膜の底面図である。
【図４６】本発明による第３実施形態におけるポンプヘッドボディとダイアフラム膜の組み合わせの断面図である。
【図４７】本発明による第３実施形態における別のポンプヘッドボディの斜視図である。
【図４８】図４７の切断線４８−４８における断面図である。
【図４９】本発明による第３実施形態における別のポンプヘッドボディおよび分離したダイアフラム膜の断面図である。
【図５０】図４９のポンプヘッドボディとダイアフラム膜の組み合わせの断面図である。
【図５１】本発明による第４実施形態におけるポンプヘッドボディの斜視図である。
【図５２】図５１の切断線５２−５２における断面図である。
【図５３】本発明による第４実施形態におけるポンプヘッドボディの上面図である。
【図５４】本発明による第４実施形態におけるダイアフラム膜の斜視図である。
【図５５】図５４の切断線５５−５５における断面図である。
【図５６】本発明による第４実施形態におけるダイアフラム膜の底面図である。
【図５７】本発明による第４実施形態におけるポンプヘッドボディとダイアフラム膜の組み合わせの断面図である。
【図５８】本発明による第４実施形態における別のポンプヘッドボディの斜視図である。
【図５９】図５８の切断線５９−５９における断面図である。
【図６０】本発明による第４実施形態における別のポンプヘッドボディおよび分離したダイアフラム膜の断面図である。
【図６１】図６０のポンプヘッドボディとダイアフラム膜の組み合わせの断面図である。
【図６２】本発明による第５実施形態におけるポンプヘッドボディの斜視図である。
【図６３】図６２の切断線６３−６３における断面図である。
【図６４】本発明による第５実施形態におけるポンプヘッドボディの上面図である。
【図６５】本発明による第５実施形態におけるダイアフラム膜の斜視図である。
【図６６】図６５の切断線６６−６６における断面図である。
【図６７】本発明による第５実施形態におけるダイアフラム膜の底面図である。
【図６８】本発明による第５実施形態におけるポンプヘッドボディとダイアフラム膜の組み合わせの断面図である。
【図６９】本発明による第５実施形態における別のポンプヘッドボディの斜視図である。
【図７０】図６９の切断線７０−７０における断面図である。
【図７１】本発明による第５実施形態における別のポンプヘッドボディおよび分離したダイアフラム膜の断面図である。
【図７２】図７１のポンプヘッドボディとダイアフラム膜の組み合わせの断面図である。
【図７３】本発明による第６実施形態におけるポンプヘッドボディの斜視図である。
【図７４】図７３の切断線７４−７４における断面図である。
【図７５】本発明による第６実施形態におけるポンプヘッドボディの上面図である。
【図７６】本発明による第６実施形態におけるダイアフラム膜の斜視図である。
【図７７】図７６の切断線７７−７７における断面図である。
【図７８】本発明による第６実施形態におけるダイアフラム膜の底面図である。
【図７９】本発明による第６実施形態におけるポンプヘッドボディとダイアフラム膜の組み合わせの断面図である。
【図８０】本発明による第６実施形態における別のポンプヘッドボディの斜視図である。
【図８１】図８０の切断線８１−８１における断面図である。
【図８２】本発明による第６実施形態における別のポンプヘッドボディおよび分離したダイアフラム膜の断面図である。
【図８３】図８２のポンプヘッドボディとダイアフラム膜の組み合わせの断面図である。
【図８４】本発明による第７実施形態におけるポンプヘッドボディの斜視図である。
【図８５】図８４の切断線８５−８５における断面図である。
【図８６】本発明による第７実施形態におけるポンプヘッドボディの上面図である。
【図８７】本発明による第７実施形態におけるダイアフラム膜の斜視図である。
【図８８】図８７の切断線８８−８８における断面図である。
【図８９】本発明による第７実施形態におけるダイアフラム膜の底面図である。
【図９０】図８９のポンプヘッドボディとダイアフラム膜の組み合わせの断面図である。
【図９１】本発明による第７実施形態におけるポンプヘッドボディの斜視図である。
【図９２】図９１の切断線９２−９２における断面図である。
【図９３】本発明による第７実施形態における別のポンプヘッドボディおよび分離したダイアフラム膜の断面図である。
【図９４】図９３のポンプヘッドボディとダイアフラム膜の組み合わせの断面図である。
【図９５】本発明による第８実施形態におけるポンプヘッドボディの上面図である。
【図９６】図９５の切断線９６−９６における断面図である。
【図９７】本発明による第８実施形態におけるダイアフラム膜の底面図である。
【図９８】図９７の切断線９８−９８における断面図である。
【図９９】本発明による第８実施形態におけるポンプヘッドボディとダイアフラム膜の組み合わせの断面図である。
【図１００】本発明による第８実施形態における別のポンプヘッドボディの斜視図である。
【図１０１】図１００の切断線１０１−１０１における断面図である。
【図１０２】本発明による第８実施形態における別のポンプヘッドボディおよび分離したダイアフラム膜の断面図である。
【図１０３】図１０２のポンプヘッドボディとダイアフラム膜の組み合わせの断面図である。
【発明を実施するための形態】
【００２７】
図１５〜２２は、４圧縮チャンバダイアフラムポンプの振動低減構造の第１実施形態を例証する図である。
【００２８】
基本曲線溝部６５は、ポンプヘッドボディ６０の各操作孔６１の上部の周囲に円周状に設けられ、一方、基本曲線凸部７７は、ポンプヘッドボディ６０の基本曲線溝部６５が嵌合する位置の対応する位置において、ダイアフラム膜７０の底部の各同心環状位置決め凸部７６の周囲に円周状に配置され（図２０および２１参照）、それによって、ポンプヘッドボディ６０とダイアフラム膜７０が組み合わせられると、ダイアフラム膜７０底部の各基本曲線凸部７７は、ポンプヘッドボディ６０上部の対応する各基本曲線溝部６５に完全に挿入され、その結果、本発明を運用する間は、ダイアフラム膜７０の基本曲線凸部７７から環状位置決め凸部７６の周囲までの距離の短いモーメントアームＬ２が得られる（図２２および関連する拡大図参照）。
【００２９】
図２３、２４、１３、１４、および１４（ａ）を比較することにより、第１実施形態における実際的動作の結果が明らかにされるが、これらは、本発明の振動低減構造の様々な実施形態に対して得られる結果の典型である。
【００３０】
図１３に示す従来の４圧縮チャンバダイアフラムポンプの動作を、図２４に示す４圧縮チャンバダイアフラムポンプの動作を比較すると、図１３に示すダイアフラム膜７０の外部突起リム７１から、環状位置決め凸ブロック７６の周囲までのモーメントアームＬ１の距離は、図２４に示すダイアフラム膜７０の基本曲線凸部７７から環状位置決め凸ブロック７６の周囲までのモーメントアームＬ２の長さよりも短い。
【００３１】
合成トルクを、同じ作用力Ｆとモーメントアームの長さを乗算することにより算出するとき、モーメントアームＬ２はモーメントアームＬ１よりも短いため、図２４の実施形態に示された本発明による合成トルクは、図１３に示された従来の４圧縮チャンバダイアフラムポンプの合成トルクよりも小さい。
【００３２】
本発明の合成トルクは小さいので、関連する振動強度は有意に低減される。
【００３３】
本発明の試作品による実際的な試験によると、振動強度は、従来の４圧縮チャンバダイアフラムポンプの振動強度の１０分の１（１０％）未満に低減した。
【００３４】
本発明を、ゴム緩衝部材１０２を含む従来のクッション基部１００をにより緩衝されるように、家庭用、ＲＶ車、または移動住宅の水供給装置の逆浸透浄化ユニットのハウジングＣに取り付けると（図１４参照）、従来の４圧縮チャンバダイアフラムポンプの共振により生じる不快な騒音が完全に解消される。
【００３５】
図２５および２６に例証された第１実施形態では、ポンプヘッドボディ６０の各基本曲線溝部６５を、ポンプヘッドボディ６０を貫通して延びる基本曲線スロット６４に取り替えることができる。
【００３６】
図２７および２８に例証する第１実施形態では、ポンプヘッドボディ６０の各基本曲線溝部６５（図１６および１７参照）および、それに対応するダイアフラム膜７０の各基本曲線凸部７７（図２０および２１参照）を、嵌合状態に影響を与えることなく、それぞれポンプヘッドボディ６０の基本曲線凸部６５１（図２７参照）、およびそれに対応するダイアフラム膜７０の基本曲線溝部７７１と取り替えることができる（図２８参照）。
【００３７】
ポンプヘッドボディ６０とダイアフラム膜７０が組み合わせられると（図２８参照）、ポンプヘッドボディ６０の上部の各基本曲線凸部６５１は、ダイアフラム膜７０の底部の対応する各基本曲線溝部７７１に完全に挿入され、本発明の運用によって、ダイアフラム膜７０の基本曲線溝部７７１から環状位置決め凸部７６の周囲までの短距離のモーメントアームＬ３（図２８および、その関連する拡大図を参照）も得られるので、ポンプヘッドボディ６０とダイアフラム膜７０が振動の低減にも有意な効果を示す新たに考案された装置が提供される。
【００３８】
図２９〜３５は、本発明における４圧縮チャンバダイアフラムポンプの振動低減構造による第２実施形態を例証する。
【００３９】
図１６および１７に示すポンプヘッドボディ６０の４つの基本曲線溝部６５は、図２９〜３１に示すように、４つの操作孔のすべてを囲む単独リンクの４曲線溝部６８と取り替え可能であり、図２０および２１に示す、対応するダイアフラム膜７０の各４つの基本曲線凸部７７は、ポンプヘッドボディ６０のリンクされた４曲線溝部６８の位置に対応する位置において、単独リンクの４曲線凸部７９と取り替え可能であり、図３３および３４に示すように、４つの環状位置決め凸部７６のすべてを取り囲む。
【００４０】
ポンプヘッドボディ６０とダイアフラム膜７０が組み合わせられると（図３５およびその拡大図を参照）、ダイアフラム膜７０の底部のリンク４曲線凸部７９が、ポンプヘッドボディ６０の上部の対応するリンク４曲線溝部６８に完全に挿入され、その結果、本発明を運用する間は、ダイアフラム膜７０のリンク４曲線凸部７９から環状位置決め凸部７６の周囲までの比較的短いモーメントアームＬ２が得られる（図３５およびその関連する拡大図を参照）。モーメントアームＬ２が短いと、振動低減に有意な効果をもたらす。
【００４１】
図３６および３７に例証された第２実施形態では、ポンプヘッドボディ６０の各リンク４曲線溝部６８を、リンク４曲線スロット６４１に取り替えることができる。
【００４２】
別の方法として、図３８および３９に示すように、第２実施形態（図２９〜３１参照）のポンプヘッドボディ６０のリンク４曲線溝部６８、および、ダイアフラム膜７０の対応するリンク４曲線凸部７９（図３３および３４を参照）は嵌合状態に影響を与えることなく、ポンプヘッドボディ６０のリンク４曲線凸部６８１（図３８参照）、およびダイアフラム膜７０のリンク４曲線溝部７９１と取り替えることができる（図３８参照）。
【００４３】
したがって、ポンプヘッドボディ６０とダイアフラム膜７０が組み合わせられると（図３９を参照）、ポンプヘッドボディ６０の上部のリンク４曲線凸部６８１は、ダイアフラム膜７０の底部のリンク４曲線溝部７９１に完全に挿入され、本発明の運用中（図３９、およびその関連する拡大図を参照）、ダイアフラム膜７０のリンクする４曲線溝部７９１から環状位置決め凸部７６の周囲までの短いモーメントアームＬ３が得られ、有意な振動の低下がもたらされる。
【００４４】
図４０〜４６は、本発明の４圧縮チャンバダイアフラムポンプの振動低減構造の第３実施形態を例証する図である。
【００４５】
第２外部曲線溝部６６はさらに、ポンプヘッドボディ６０の各基本曲線溝部６５の周囲に円周状に設けられ（図４０〜４２参照）第２外部曲線凸部７８がさらに、ポンプヘッドボディ６０の各第２外部曲線溝部６６が嵌合する位置の対応する位置において、ダイアフラム膜７０の各基本曲線凸部７７の周囲に円周状に設けられている（図４４および４５参照）。
【００４６】
したがって、ポンプヘッドボディ６０とダイアフラム膜７０が組み合わせられると（図４６およびその関連する拡大図を参照）、ダイアフラム膜７０の底部の基本曲線凸部７７と第２外部曲線凸部７８の各ペアが、ポンプヘッド６０の上部の対応する基本曲線溝部６５と第２外部曲線溝部６６の各ペアに完全に挿入されることができるので、その結果、本発明を運用する間は、ダイアフラム膜７０の基本曲線凸部７７から環状位置決め凸部７６の周囲までの短いモーメントアームＬ２が得られ（図４６およびその拡大図を参照）有意に振動は低減し、変位の抑制が安定し、偏心円形部材５２に掛かる作用力Ｆに抵抗するモーメントアームＬ２の長さを維持することができる。
【００４７】
図４７および４８に例証された第３実施形態では、ポンプヘッドボディ６０の一対の基本曲線溝部６５と第２外部曲線溝部６６が、基本曲線孔６４と第２外部曲線孔６７を含む一対の孔と取り替え可能である。
【００４８】
別の方法として、図４９および５０に例証する第３実施形態では、ポンプヘッドボディ６０の、一対の基本曲線溝部６５と第２外部曲線溝部６６（図４０〜４２参照）、および、それに対応するダイアフラム膜７０の一対の基本曲線凸部７７と第２外部曲線凸部７８（図４４および４５参照）は、ポンプヘッドボディ６０の一対の基本曲線凸部６５１と第２外部曲線凸部６６１（図４９参照）、および、それに対応するダイアフラム膜７０（図４９参照）の一対の基本曲線溝部７７１と第２外部曲線溝部７８１と、嵌合状態に影響することなく取り替え可能である。
【００４９】
したがって、ポンプヘッドボディ６０とダイアフラム膜７０が組み合わせられると（図５０参照）、ポンプヘッドボディ６０の上部の、基本曲線凸部６５１と第２外部曲線凸部６６１の各一対は、ダイアフラム膜７０の底部の対応する基本曲線溝部７７１と第２外部曲線溝部７８１の各一対に完全に挿入され、本発明を運用する間は、ダイアフラム膜７０の基本曲線溝部７７１から環状位置決め凸部７６の周囲までの短距離のモーメントアームＬ３（図５０および、その拡大図を参照）が得られるので、有意に振動が低減し、モーメントアームＬ３の長さが安定的に維持される。
【００５０】
図５１〜５７は、４圧縮チャンバダイアフラムポンプの振動低減構造の第４実施形態を例証する図である。
【００５１】
一体環状溝部６０１は、ポンプヘッドボディ６０の前記各操作孔６１の周囲に円周状に設けられ（図５１〜５３参照）、一体凸リングまたは環状凸部７０１は、ポンプヘッドボディ６０の各一体環状溝部６０１が嵌合する位置の対応する位置において、ダイアフラム膜７０の各環状位置決め凸部７６の周囲に円周状に設けられている（図５５および５６参照）。
【００５２】
ポンプヘッドボディ６０とダイアフラム膜７０が組み合わせられると（図５７を参照）、ダイアフラム膜７０の底部の各一体環状凸部７０１が、ポンプヘッドボディ６０の上部の対応する各一体環状溝部６０１に完全に挿入されるので、本発明を運用する間は、ダイアフラム膜７０の一体環状凸部７０１から環状位置決め凸部７６の周囲までのモーメントアームＬ２が短くなり（図５７およびその関連する拡大図を参照）、その結果、振動は低減し、偏心円形部材５２に作用する作用力Ｆに対抗するモーメントアームＬ２の安定性が強化される。
【００５３】
図５８および５９に例証された第４実施形態では、ポンプヘッドボディ６０の各一体環状溝部６０１を、一体有孔リング６００に取り替えてもよい。
【００５４】
さらに、図６０および６１に例証する第４実施形態では、ポンプヘッドボディ６０の各一体環状溝部６０１（図５１〜５３参照）および、ダイアフラム膜７０の対応する各一体環状凸部７０１（図５５および５６参照）を、嵌合状態に影響を与えることなく、ポンプヘッドボディ６０の一体凸リングまたは、環状凸部６１０（図６０参照）、およびダイアフラム膜７０の対応する一体環状溝部７１０に取り替えることができる（図６０参照）。
【００５５】
ポンプヘッドボディ６０とダイアフラム膜７０が組み合わせられると（図６１参照）、ポンプヘッドボディ６０の上部の各一体環状凸部６１０は、ダイアフラム膜７０の底部の対応する各一体環状溝部７１０に完全に挿入される。その結果、本発明を運用する間は、ダイアフラム膜７０の一体環状溝部７１０から環状位置決め凸部７６の周囲までのモーメントアームＬ３が短くなり（図６１およびその関連する拡大図を参照）、振動が低減する。
【００５６】
図６２〜６８は、本発明における４圧縮チャンバダイアフラムポンプの振動低減構造による第５実施形態を例証する。
【００５７】
曲線溝部６０２の群が、ポンプヘッドボディ６０の各操作孔６１の周囲に円周状に設けられ（図６２〜６４参照）、ポンプヘッドボディ６０の曲線溝部６０２の各群が嵌合する位置の対応する位置において、曲線凸部７０２の群がダイアフラム膜７０の各環状位置決め凸部７６の周囲に円周状に設けられる（図６６および６７参照）。
【００５８】
ポンプヘッドボディ６０とダイアフラム膜７０が組み合わせられると（図６８を参照）、ダイアフラム膜７０の底部の曲線凸部７０２の各群が、ポンプヘッドボディ６０の上部の対応する曲線凹部６０２の群に完全に挿入されるので、その結果、本発明を運用する間は、ダイアフラム膜７０の曲線凸部７０２から環状位置決め凸部７６の周囲までの短いモーメントアームＬ２が得られ（図６８およびその拡大図を参照）、振動が僅かに低減する。
【００５９】
図６９および７０に例証された第５実施形態では、ポンプヘッドボディ６０の曲線溝部６０２の各群を、曲線スリット６１１の群と取り替えることができる。
【００６０】
図７１および７２に例証する第５実施形態では、ポンプヘッドボディ６０の曲線溝部６０２の各群（図６２〜６４参照）、および、ダイアフラム膜７０の対応する曲線凸部７０２の各群（図６６および６７参照）を、それぞれ、ポンプヘッドボディ６０の曲線凸部６２０の群（図７１参照）と、ダイアフラム膜７０の対応する曲線溝部７２０の群（図７１参照）と嵌合状態に影響することなくそれぞれ取り替え可能である。
【００６１】
ポンプヘッドボディ６０とダイアフラム膜７０が組み合わせられると（図７２参照）、ポンプヘッドボディ６０の上部の曲線凸部６２０の各群は、ダイアフラム膜７０の底部の対応する曲線溝部７２０の各群に完全に挿入され、本発明の運用によって、ダイアフラム膜７０の曲線凹部７２０から環状位置決め凸部７６の周囲までの短距離のモーメントアームＬ３（図７２および、その拡大図を参照）も得られるので、ポンプヘッドボディ６０とダイアフラム膜７０が振動の低減にも有意な効果を示す新たに考案された装置が提供される。
【００６２】
図７３〜７９は、本発明における４圧縮チャンバダイアフラムポンプの振動低減構造による第６実施形態を例証する。
【００６３】
円形凹部６０３の群が、ポンプヘッドボディ６０の各操作孔６１の周囲に円周状に設けられ（図７３〜７５参照）、ポンプヘッドボディ６０の円形凹部６０３の各群が嵌合する位置の対応する位置において、円形凸部７０３の群がダイアフラム膜７０の各環状位置決め凸部７６の周囲に円周状に設けられる（図７７および７８参照）。
【００６４】
ポンプヘッドボディ６０とダイアフラム膜７０が組み合わせられると（図７９を参照）、ダイアフラム膜７０の底部の円形凸部７０３の各群が、ポンプヘッドボディ６０の上部の対応する円形凹部６０３の各群に完全に挿入されるので、本発明を運用する間は、ダイアフラム膜７０の円形凸部７０３から環状位置決め凸部７６の周囲までのモーメントアームＬ２が短くなり（図７９およびその関連する拡大図を参照）、モーメントアームＬ２が短くなることにより、振動は低減し、変位を防止し、モーメントアームＬ２を短く維持する安定性が強化される。
【００６５】
図６９および７０に例証された第６実施形態では、ポンプヘッドボディ６０の円形凹部６０３の各群を、円形貫通孔６１２の群と交換することができる。
【００６６】
図８２および８３に例証する第６実施形態では、ポンプヘッドボディ６０の円形凹部６０３の各群（図７３〜７５参照）、および、ダイアフラム膜７０の対応する円形凸部７０３の各群（図７７および７８参照）を、ポンプヘッドボディ６０の円形凸部６３０の群（図８２参照）と、ダイアフラム膜７０の対応する円形凹部７３０の群（図８２参照）と嵌合状態に影響することなく取り替え可能である。
【００６７】
ポンプヘッドボディ６０とダイアフラム膜７０が組み合わせられると（図８３参照）、ポンプヘッドボディ６０の上部の、円形凸部６３０の各群は、ダイアフラム膜７０の底部の対応する円形凹部７３０の各群に完全に挿入され、本発明を運用する間は、ダイアフラム膜７０の円形凹部７３０から環状位置決め凸部７６の周囲までの短距離のモーメントアームＬ３（図８３および、その関連する拡大図を参照）が得られるので、その結果、振動が低減する。
【００６８】
図８４〜９０は、本発明における４圧縮チャンバダイアフラムポンプの振動低減構造による第７実施形態を例証する。
【００６９】
四角形凹部６０４の群が、ポンプヘッドボディ６０の各操作孔６１の周囲に円周状に設けられ（図８４〜８６参照）、ポンプヘッドボディ６０の四角形凹部６０４の各群が嵌合する位置の対応する位置において、四角形凸部７０４の群がダイアフラム膜７０の各環状位置決め凸部７６の周囲に円周状に設けられる（図８８および８９参照）。
【００７０】
ポンプヘッドボディ６０とダイアフラム膜７０が組み合わせられると（図９０参照）、ダイアフラム膜７０の底部の四角形凸部７０４の各群が、ポンプヘッドボディ６０の上部の対応する四角形凹部６０４の各群に完全に挿入されるので、本発明を運用する間は、ダイアフラム膜７０の四角形凸部７０４から環状位置決め凸部７６の周囲までのモーメントアームＬ２が短くなり（図６０およびその関連する拡大図を参照）、モーメントアームＬ２が短く安定的に維持され、変位を抑制することにより、振動を有意に低減する。
【００７１】
図９１および９２に例証された第７実施形態では、ポンプヘッドボディ６０の四角形凹部６０４の各群を、四角形孔６１３の群と取り替えることができる。
【００７２】
図９３および９４に例証する第７実施形態では、ポンプヘッドボディ６０の四角形凹部６０４の各群（図８４〜８６参照）、および、ダイアフラム膜７０の対応する四角形凸部７０４の各群（図８８および８９参照）を、ポンプヘッドボディ６０の四角形凸部６４０の群（図９３参照）と、対応するダイアフラム膜７０の四角形凹部７４０の群（図９３参照）と嵌合状態に影響することなく取り替え可能である。
【００７３】
ポンプヘッドボディ６０とダイアフラム膜７０が組み合わせられると（図９４参照）、ポンプヘッドボディ６０の上部の、四角形凸部６４０の各群は、ダイアフラム膜７０の底部の対応する四角形凹部７４０の各群に完全に挿入され、本発明を運用する間は、ダイアフラム膜７０の四角形凹部７４０から環状位置決め凸部７６の周囲までの短距離のモーメントアームＬ３（図９４および、その関連する拡大図を参照）が得られるので、その結果、振動が有意に低減する。
【００７４】
図９５〜９９は、本発明における４圧縮チャンバダイアフラムポンプの振動低減構造による第８実施形態を例証する。
【００７５】
一体環状溝部６０１は、各操作孔６１の上部の周囲に円周状に設けられ、リンク４曲線凹部６８は、ポンプヘッドボディ６０の４つの一体凹リング６０１のすべてを囲むように設けられ（図９５および９６を参照）、一体凸リング７０１は、各同心環状位置決め凸部７６の周囲に円周状に設けられ、リンク４曲線凸部７９は、ポンプヘッドボディ６０のリンク４曲線凹部６８および４つの一体凹リング６０１が嵌合する位置に対応する位置において、ダイアフラム膜７０の底部にある４つの一体凸リング７０１のすべてを囲むように設けられる。
【００７６】
ポンプヘッドボディ６０とダイアフラム膜７０が組み合わせられると（図９９およびその関連する拡大図を参照）、ダイアフラム膜７０の底部のリンク４曲線凸部７９および４つの一体凸リング７０１が、ポンプヘッド６０上部の対応するリンク４曲線凹部６８および４つの一体凹リング６０１に完全に挿入され、その結果、本発明を運用する間は、ダイアフラム膜７０の一体凸リング７０１から環状位置決め凸部７６の周囲までの短いモーメントアームＬ２が得られ（図９９およびその拡大図を参照）、モーメントアームＬ２の長さが安定し、偏心円形部材５２に対する作用力Ｆに対する抵抗が増すことにより、振動が低減される。
【００７７】
図１００および１０１に例証された第８実施形態では、ポンプヘッドボディ６０のリンク４曲線凹部６８および４つの一体凹リング６０１を、リンク４曲線スリット６４１および４つの一体有孔リング６００に取り替え可能である。
【００７８】
図１０２および１０３に例証された第８実施形態では、ポンプヘッドボディ６０のリンク４曲線凹部６８および４つの一体凹リング６０１（図９５および９６参照）、ならびにダイアフラム膜７０の対応するリンク４曲線凸部７９および４つの一体凸リング７０１（図９７および９８参照）を、嵌合状態に影響を与えることなく、ポンプヘッドボディ６０のリンク４曲線凸部６８１および４つの一体凸リング６１０（図１０２参照）、ならびにダイアフラム膜７０の対応するリンク４曲線凹部７９１および４つの一体凹リング７１０と取り替えることができる（図１０２参照）。
【００７９】
ポンプヘッドボディ６０とダイアフラム膜７０が組み合わせられると（図１０３参照）、ポンプヘッドボディ６０の上部の、リンク４曲線凸部６８１と４つの一体凸リング６１０は、ダイアフラム膜７０の底部の対応するリンク４曲線凹部７９１および４つの一体凹リング７１０に完全に挿入され、その結果、本発明を運用する間は、ダイアフラム膜７０の一体環状溝部７１０から環状位置決め凸部７６の周囲までのモーメントアームＬ３が短くなり（図１０３およびその関連する拡大図を参照）、振動が有意に低減する。
【００８０】
前述の開示内容に基づいて、本発明は実質的に、簡単であり新たに考案されたポンプヘッドボディ６０とダイアフラム膜７０によって、全体的なコストを増やすことなく、４圧縮チャンバダイアフラムポンプの振動低減効果を達成する。本発明は、従来の４圧縮チャンバダイアフラムポンプの振動により生じる不快なノイズや共振の問題のすべてを確実に解消するので、本発明は価値の高い産業適用可能性を有している。
【図１】
2015218727.tif 000003
【図２】
2015218727.tif 000004
【図３】
2015218727.tif 000005
【図４】
2015218727.tif 000006
【図５】
2015218727.tif 000007
【図６】
2015218727.tif 000008
【図７】
2015218727.tif 000009
【図８】
2015218727.tif 000010
【図９】
2015218727.tif 000011
【図１０】
2015218727.tif 000012
【図１１】
2015218727.tif 000013
【図１２】
2015218727.tif 000014
【図１３】
2015218727.tif 000015
【図１４】
2015218727.tif 000016
【図１４（ａ）】
2015218727.tif 000017
【図１５】
2015218727.tif 000018
【図１６】
2015218727.tif 000019
【図１７】
2015218727.tif 000020
【図１８】
2015218727.tif 000021
【図１９】
2015218727.tif 000022
【図２０】
2015218727.tif 000023
【図２１】
2015218727.tif 000024
【図２２】
2015218727.tif 000025
【図２３】
2015218727.tif 000026
【図２４】
2015218727.tif 000027
【図２５】
2015218727.tif 000028
【図２６】
2015218727.tif 000029
【図２７】
2015218727.tif 000030
【図２８】
2015218727.tif 000031
【図２９】
2015218727.tif 000032
【図３０】
2015218727.tif 000033
【図３１】
2015218727.tif 000034
【図３２】
2015218727.tif 000035
【図３３】
2015218727.tif 000036
【図３４】
2015218727.tif 000037
【図３５】
2015218727.tif 000038
【図３６】
2015218727.tif 000039
【図３７】
2015218727.tif 000040
【図３８】
2015218727.tif 000041
【図３９】
2015218727.tif 000042
【図４０】
2015218727.tif 000043
【図４１】
2015218727.tif 000044
【図４２】
2015218727.tif 000045
【図４３】
2015218727.tif 000046
【図４４】
2015218727.tif 000047
【図４５】
2015218727.tif 000048
【図４６】
2015218727.tif 000049
【図４７】
2015218727.tif 000050
【図４８】
2015218727.tif 000051
【図４９】
2015218727.tif 000052
【図５０】
2015218727.tif 000053
【図５１】
2015218727.tif 000054
【図５２】
2015218727.tif 000055
【図５３】
2015218727.tif 000056
【図５４】
2015218727.tif 000057
【図５５】
2015218727.tif 000058
【図５６】
2015218727.tif 000059
【図５７】
2015218727.tif 000060
【図５８】
2015218727.tif 000061
【図５９】
2015218727.tif 000062
【図６０】
2015218727.tif 000063
【図６１】
2015218727.tif 000064
【図６２】
2015218727.tif 000065
【図６３】
2015218727.tif 000066
【図６４】
2015218727.tif 000067
【図６５】
2015218727.tif 000068
【図６６】
2015218727.tif 000069
【図６７】
2015218727.tif 000070
【図６８】
2015218727.tif 000071
【図６９】
2015218727.tif 000072
【図７０】
2015218727.tif 000073
【図７１】
2015218727.tif 000074
【図７２】
2015218727.tif 000075
【図７３】
2015218727.tif 000076
【図７４】
2015218727.tif 000077
【図７５】
2015218727.tif 000078
【図７６】
2015218727.tif 000079
【図７７】
2015218727.tif 000080
【図７８】
2015218727.tif 000081
【図７９】
2015218727.tif 000082
【図８０】
2015218727.tif 000083
【図８１】
2015218727.tif 000084
【図８２】
2015218727.tif 000085
【図８３】
2015218727.tif 000086
【図８４】
2015218727.tif 000087
【図８５】
2015218727.tif 000088
【図８６】
2015218727.tif 000089
【図８７】
2015218727.tif 000090
【図８８】
2015218727.tif 000091
【図８９】
2015218727.tif 000092
【図９０】
2015218727.tif 000093
【図９１】
2015218727.tif 000094
【図９２】
2015218727.tif 000095
【図９３】
2015218727.tif 000096
【図９４】
2015218727.tif 000097
【図９５】
2015218727.tif 000098
【図９６】
2015218727.tif 000099
【図９７】
2015218727.tif 000100
【図９８】
2015218727.tif 000101
【図９９】
2015218727.tif 000102
【図１００】
2015218727.tif 000103
【図１０１】
2015218727.tif 000104
【図１０２】
2015218727.tif 000105
【図１０３】
2015218727.tif 000106